(57)【要約】      （修正有）【課題】浴室の角部に入浴時の泡水が入り込まなくなり、角部への泡水の滞留がなくなり、角部に汚れが溜まりにくくなる浴室コーナー部材を提供する。【解決手段】自由に湾曲可能な板状の本体部１０と、本体部１０を、浴室の壁面に着脱自在に装着可能な装着部１４とを備え、装着部１４を介して、本体部１０が、浴室の床面に接して起立し、且つ浴室の角部Ｃの左右に渡って湾曲しつつ角部Ｃを覆うように設けられ、また、本体部の下辺や側辺に、湯水の移動を妨げるブレード１２を有する。【選択図】図３
0003210709.tif 000002
【実用新案登録請求の範囲】
【請求項１】
浴室の角部に設ける浴室コーナー部材において、
自由に湾曲可能な板状の本体部と、
該本体部を、該浴室の壁面に着脱自在に装着可能な装着部とを備え、
該装着部を介して、該本体部が、該浴室の床面に接して起立し、且つ該浴室の角部の左右に渡って湾曲しつつ該角部を覆うように設けられることを特徴とする浴室コーナー部材。
【請求項２】
前記本体部の下辺に、湯水の移動を妨げるブレードを有することを特徴とする請求項１記載の浴室コーナー部材。
【請求項３】
前記本体部の側辺に、湯水の移動を妨げるブレードを有することを特徴とする請求項１又は請求項２記載の浴室コーナー部材。
【請求項４】
前記装着部が、吸盤状で、該浴室の壁面に着脱自在であることを特徴とする請求項１〜請求項３のいずれかに記載の浴室コーナー部材。
【請求項５】
前記本体部が、互いに平行する複数の高さ目安の目印を有することを特徴とする請求項１〜請求項４のいずれかに記載の浴室コーナー部材。
【考案の詳細な説明】
【技術分野】
【０００１】
本考案は、浴室の角部に設ける浴室コーナー部材に関する。
【背景技術】
【０００２】
従来より、浴室の角部に限らず浴室壁面に汚れが付きにくくなる方法が提案されている。例えば、特許文献１の浴室ユニットでは、浴室の角部の表面部材を連続的に配設することで、角部に汚れが溜まりにくい構造を実現している。
【先行技術文献】
【特許文献】
【０００３】
【特許文献１】特開２００６−６３６２０号公報
【考案の概要】
【考案が解決しようとする課題】
【０００４】
しかしながら、従来の浴室では、必ずしも特許文献１のような浴室ユニットによる構造にはなっておらず、浴室の角部の角度が９０度で、また角部の中心で浴室壁面が左右につなぎ合わされている場合も多く、入浴時の泡水が角部に滞留しやすく、角部に汚れが溜まりやすい。
【０００５】
本考案は、このような事情に鑑みてなされたもので、浴室の角部に入浴時の泡水が入り込まなくなり、角部への泡水の滞留がなくなり、角部に汚れが溜まりにくくなる浴室コーナー部材を提供することにある。
【課題を解決するための手段】
【０００６】
請求項１記載の浴室コーナー部材は、自由に湾曲可能な板状の本体部と、本体部を、浴室の壁面に着脱自在に装着可能な装着部とを備え、装着部を介して、本体部が、浴室の床面に接して起立し、且つ浴室の角部の左右に渡って湾曲しつつ角部を覆うように設けられることを特徴とする。
【０００７】
請求項２記載の浴室コーナー部材は、本体部の下辺に、湯水の移動を妨げるブレードを有することを特徴とする。
【０００８】
請求項３記載の浴室コーナー部材は、本体部の側辺に、湯水の移動を妨げるブレードを有することを特徴とする。
【０００９】
請求項４記載の浴室コーナー部材は、装着部が、吸盤状で、浴室の壁面に着脱自在であることを特徴とする。
【００１０】
請求項５記載の浴室コーナー部材は、本体部が、互いに平行する複数の高さ目安の目印を有することを特徴とする。
【考案の効果】
【００１１】
本願考案の浴室コーナー部材によれば、浴室の角部に入浴時の泡水が入り込まなくなり、角部への泡水の滞留がなくなり、角部に汚れが溜まりにくくなる。
【図面の簡単な説明】
【００１２】
【図１】本考案に係る浴室コーナー部材の一例を示す説明図である。
【図２】同浴室コーナー部材を示す説明図である。
【図３】同浴室コーナー部材の使用状態を示す説明図である。
【図４】同浴室コーナー部材の使用状態を示す説明図である。
【考案を実施するための形態】
【００１３】
以下、本考案の形態について図面を参照しながら具体的に説明する。図１は、本考案に係る浴室コーナー部材の一例を示す説明図である。図２は、同浴室コーナー部材を示す説明図である。図３及び図４は、同浴室コーナー部材の使用状態を示す説明図である。本考案に係る浴室コーナー部材１は、本体部１０と、本体部１０や装着部１４等を備えている。また、浴室コーナー部材１は、ブレード１２を備えることも可能である。尚、ブレード１２は、必須ではないが、本実施の形態では、ブレード１２を有している例で説明する。
【００１４】
本体部１０は、自由に湾曲可能な板状のもので、樹脂製の他、金属等の他の材質であってもかまわない。本体部１０は、本体部１０を浴室壁面Ｗ１，Ｗ２に着脱自在に装着可能な装着部１４を裏面１０ｂに備えている。装着部１４は、例えば、図に示すような吸盤状のものが着脱の容易性からは優れているが、他の本体部１０を浴室壁面Ｗ１，Ｗ２に対して着脱自在な構造のものであればよい。
【００１５】
ブレード１２は、本体部１０の下辺１０ｃや側辺１０ｄに設けられ、後述するように、本体部１０と浴室壁面Ｗ１，Ｗ２との間や、本体部１０と床面Ｒとの間で、湯水の移動を妨げるためのものである。ブレード１２は、パッキン状の性質を有する素材が好ましく、例えば、ゴム材や軟質樹脂等が好ましい。図で示すブレード１２は、本体部１０の周囲をＵ字状に１つの部材として装着され、本体部１０の下辺１０ｃはブレード１２の下辺部１２ａが、また、本体部１０の側辺１０ｄはブレード１２の側辺部１２ｂが、それぞれ設けられている。しかしながら、図で示すようにブレード１２の１つの部材である必要はなく、ブレード１２の下辺部１２ａと側辺部１２ｂとが、それぞれ別の部材になっていてもよい。
【００１６】
図の本体部１０の表面１０ａ又は裏面１０ｂには、互いに平行する複数の高さの目安の目印１８を設けることもできる。これは、浴室の事情により、本体部１０の高さを任意に調整する目安で、所望の目印１８の位置で、本体部１０を切断することで、浴室コーナー部材１をそれぞれの浴室に応じた高さにすることが容易にできる。
【００１７】
次に、実施の形態に係る浴室コーナー部材１の使用方法を説明する。図３及び図４に示すように、浴室コーナー部材１の本体部１０を、浴室壁面Ｗ１と浴室壁面Ｗ２とで形成される角部Ｃに、ブレード１２の下辺部１２ａが浴室の床面Ｒに接するように起立させ、装着部１４を介して、角部Ｃの左右の浴室壁面Ｗ１及び浴室壁面Ｗ２に渡って湾曲しつつ角部Ｃを覆うように固定するようにする。このとき、ブレード１２の左右の側辺部１２ｂが、浴室壁面Ｗ１及び浴室壁面Ｗ２のそれぞれ密着するようにする。
【００１８】
このような浴室コーナー部材１によれば、浴室の角部Ｃに入浴時の泡水が入り込まなくなり、角部Ｃへの泡水の滞留がなくなり、角部Ｃに汚れが溜まりにくくなる。
【産業上の利用可能性】
【００１９】
本考案により、浴室の角部に入浴時の泡水が入り込まなくなり、角部への泡水の滞留がなくなり、角部に汚れが溜まりにくくなる浴室コーナー部材を提供することができる。
【符号の説明】
【００２０】
１・・・・・浴室コーナー部材
１０・・・・本体部
１０ａ・・・表面
１０ｂ・・・裏面
１０ｃ・・・下辺
１０ｄ・・・側辺
１０ｅ・・・上辺
１２・・・・ブレード
１２ａ・・・下辺部
１２ｂ・・・側辺部
１４・・・・装着部
１８・・・・目印
【図１】
0003210709.tif 000003
【図２】
0003210709.tif 000004
【図３】
0003210709.tif 000005
【図４】
0003210709.tif 000006